(57)【要約】【課題】低温環境で使用してもカブリや濃度ムラが発生しないように像担持体の帯電電位を制御できるカラー画像形成装置の帯電制御装置を提供する。【解決手段】直列に配置された複数の像担持体４１の各々に接触配置または近接配置された帯電部材４２に直流電圧と交流電圧が重畳された振動電圧を印加する高圧発生回路９１と、各像担持体４１と帯電部材４２間の直流電流値が目標電流範囲に維持されるように前記交流電圧を制御する電圧制御手段９６を備えているカラー画像形成装置の帯電制御装置９であって、前記交流電圧及び前記直流電圧を予め設定された所定電圧に保持して各像担持体を回転駆動するエージング制御手段９５を備えている。【選択図】図１
2008216750.tif 000002
【特許請求の範囲】
【請求項１】
直列に配置された複数の像担持体の各々に接触配置または近接配置された帯電部材に直流電圧と交流電圧が重畳された振動電圧を印加する高圧発生回路と、各像担持体と帯電部材間の直流電流値が目標電流範囲に維持されるように前記交流電圧を制御する電圧制御手段を備えているカラー画像形成装置の帯電制御装置であって、
前記交流電圧及び前記直流電圧を予め設定された所定電圧に保持して各像担持体を回転駆動するエージング制御手段を備えているカラー画像形成装置の帯電制御装置。
【請求項２】
前記高圧発生回路が、二次側に複数の線形直流レギュレータが並列接続された単一の直流トランスと、各線形直流レギュレータの出力が二次側に各別に接続された複数の交流トランスと、前記直流トランスの二次側に接続され前記帯電部材と前記像担持体間の直流電流を検出する単一の電流検出回路とから構成され、各線形直流レギュレータの中の一つを除いて他の出力を放電開始電圧よりも低圧に調整することにより前記直流電流値を各別に検出するように構成されている請求項１記載のカラー画像形成装置の帯電制御装置。
【請求項３】
前記エージング制御手段は、前記交流電圧及び前記直流電圧を予め設定された所定電圧に保持して各像担持体を予め設定された基準時間だけ回転駆動し、その後各線形直流レギュレータの中の一つを除いて他の出力を放電開始電圧よりも低圧に調整することにより各直流電流値を順次検出する単位エージング動作を一回または複数回繰り返す請求項２記載のカラー画像形成装置の帯電制御装置。
【請求項４】
前記エージング制御手段は、前記電圧制御手段により何れかの直流電流値が前記目標電流範囲に制御できないとき、または、前記画像形成装置の環境温度が所定温度未満のときに作動する請求項１から３の何れかに記載のカラー画像形成装置の帯電制御装置。
【請求項５】
前記エージング制御手段は、画像形成装置の電源投入時または省電力モードからの復帰時に作動する請求項１から４の何れかに記載のカラー画像形成装置の帯電制御装置。
【請求項６】
前記エージング制御手段は、各直流電流値の夫々が前記目標電流範囲に達したとき、または、予め設定された所定時間が経過したときにエージング動作を終了する請求項１から５の何れかに記載のカラー画像形成装置の帯電制御装置。
【請求項７】
前記所定時間は、前記画像形成装置の環境温度に基づいて設定される請求項６に記載のカラー画像形成装置の帯電制御装置。
【発明の詳細な説明】
【技術分野】
【０００１】
本発明は、直列に配置された複数の像担持体の各々に接触配置または近接配置された帯電部材に直流電圧と交流電圧が重畳された振動電圧を印加する高圧発生回路と、各像担持体と帯電部材間の直流電流値が目標電流範囲に維持されるように前記交流電圧を制御する電圧制御手段を備えているカラー画像形成装置の帯電制御装置に関する。
【背景技術】
【０００２】
近年、低圧プロセス、低オゾン発生量、低コスト等の点から、ローラ型或いはブレード型等の帯電部材を像担持体の表面に接触配置または近接配置し、前記帯電部材に直流電圧と交流電圧が重畳された振動電圧を印加することにより像担持体表面を均一に帯電させる接触帯電方式が主流となりつつある。ここに、振動電圧は正弦波に限らず、矩形波、三角波、パルス波等周期的に変化する任意の振動波形であればよい。
【０００３】
このような接触帯電方式を採用する帯電装置として、特許文献１には、振動電圧のうち交流電圧のピーク間電圧値Ｖｐｐを昇圧させると前記像担持体の帯電電圧がそれに比例して上昇し、前記ピーク間電圧値Ｖｐｐが直流電圧による帯電開始電圧の約２倍に達すると帯電電位が飽和し、それ以上に昇圧しても帯電電位が変わらないこと、帯電の均一性を確保するためには像担持体の諸特性等によって決定される直流電圧印加時の帯電開始電圧の２倍以上のピーク間電圧を有する振動電圧を印加する必要があり、そのとき得られる帯電電圧は印加電圧の直流成分に依存することが開示されている。
【０００４】
また、特許文献２には、環境や製造時による帯電部材の抵抗値のばらつき等にかかわらず、常に一定量の放電を生じさせて像担持体の劣化、トナー融着、画像流れ等の問題なく均一な帯電を行なえるようにすることを目的として、像担持体を介して帯電手段に流れる交流電流値を測定する手段を備え、帯電部材に直流電圧を印加した時の像担持体への放電開始電圧をＶｔｈとしたときに、非画像形成時において、帯電手段に少なくとも１点以上のＶｔｈの２倍未満のピーク間電圧を印加した時の電流値と、少なくとも２点以上のＶｔｈの２倍以上のピーク間電圧を印加した時の電流値を測定し、測定された交流電流値により、画像形成時に帯電手段に印加する交流電圧のピーク間電圧を決定する帯電制御方法が開示されている。
【０００５】
詳述すると、Ｄを予め決められた定数とし、帯電手段に１点のＶｔｈの２倍未満のピーク間電圧を印加した時の電流値と０とを結ぶことで得られるピーク間電圧−交流電流関数ｆＩ１(Ｖｐｐ)と、少なくとも２点以上のＶｔｈの２倍以上のピーク間電圧を印加した時の電流値から得られるピーク間電圧−交流電流関数ｆＩ２(Ｖｐｐ)とを比較する事により、ｆＩ２(Ｖｐｐ)−ｆＩ１(Ｖｐｐ)＝Ｄとなるピーク間電圧値を所望の放電電流量として決定し、決定されたピーク間電圧値により、画像形成時に帯電手段に印加する交流電圧のピーク間電圧を定電圧制御するものである。
【特許文献１】特開昭６３−１４９６６８号公報
【特許文献２】特開２００１−２０１９２１号公報
【発明の開示】
【発明が解決しようとする課題】
【０００６】
しかし、上述した特許文献２に記載された技術を、例えば、膜厚２０μｍのアモルファスシリコンを感光層とするφ３０ｍｍの像担持体に押圧力１Ｋｇｆで接触させたエピクロルヒドリンゴム製の帯電ローラでなる帯電部材を備えた帯電装置に適用した場合には、環境によって特性変動の激しいエピクロルヒドリンゴムの性質から以下のような問題を生ずる。
【０００７】
即ち、図２に示すように、帯電部材の電気抵抗値が高くなる低温環境（図中低温環境１）ではエピクロルヒドリンゴム内の導電イオンの運動が鈍いため、像担持体の帯電電位を安定した目標電位に調整するために、交流電圧のピーク間電圧値を常温環境のピーク間電圧値Ｖｐｐ１よりも大きなピーク間電圧Ｖｐｐ２に制御する必要があり、特に０℃のように温度が極端に低くなるとピーク間電圧値をいくら大きくしても所定の目標電位に調整できなくなる。このような低温状態（図中低温環境２）では像担持体の帯電電位が目標電位に達しないために、当該画像形成処理により形成された画像にカブリや濃度ムラなどが発生するという問題があった。
【０００８】
上述の問題は、ＹＭＣＫの四色に対応して各色別の像担持体を備えたカラー画像形成装置に前記接触帯電方式を採用する場合であっても同様に存在する。
【０００９】
本発明の目的は、上述した従来の問題点に鑑み、低温環境で使用してもカブリや濃度ムラが発生しないように像担持体の帯電電位を制御できるカラー画像形成装置の帯電制御装置を提供する点にある。
【課題を解決するための手段】
【００１０】
上述の目的を達成するため、本発明によるカラー画像形成装置の帯電制御装置の第一の特徴構成は、直列に配置された複数の像担持体の各々に接触配置または近接配置された帯電部材に直流電圧と交流電圧が重畳された振動電圧を印加する高圧発生回路と、各像担持体と帯電部材間の直流電流値が目標電流範囲に維持されるように前記交流電圧を制御する電圧制御手段を備えているカラー画像形成装置の帯電制御装置であって、前記交流電圧及び前記直流電圧を予め設定された所定電圧に保持して各像担持体を回転駆動するエージング制御手段を備えている点にある。
【００１１】
本発明者らは、像担持体の帯電電位Ｖｏの設定について検討を行う中で、前記振動電圧の印加により生じる前記直流電流値Ｉｄｃを計測したところ、図３（ａ）に示すように、前記直流電流値Ｉｄｃと前記帯電電位Ｖｏとが比例関係にあること、そして、この関係は温湿度等の環境変動や、前記像担持体や前記帯電部材等の経年変化によって大きく変化しないことを種々の実験を通して確認し、前記直流電流値Ｉｄｃを調整することで前記帯電電位Ｖｏを目標の電位に設定することができることを確認した。
【００１２】
また、特許文献１によると、前記直流電圧Ｖｄｃが放電開始電圧Ｖｔｈ以上であるときは、前記直流電圧Ｖｄｃと前記帯電電位Ｖｏとが比例関係にあることが示されている。
【００１３】
この事実と上述した前記直流電流値Ｉｄｃと前記帯電電位Ｖｏとの比例関係より、前記直流電圧Ｖｄｃが放電開始電圧Ｖｔｈ以上であるときには、図３（ｂ）に示すように、前記直流電圧Ｖｄｃと前記直流電流値Ｉｄｃは比例関係となる。さらに、特許文献１には、前記交流電圧のピーク間電圧Ｖｐｐを前記放電開始電圧Ｖｔｈの２倍以上の値に制御することにより前記帯電電位Ｖｏが安定し、このとき、前記帯電電位Ｖｏは印加される前記直流電圧Ｖｄｃに依存することが示されている。
【００１４】
以上より、前記帯電電位Ｖｏを目標電位に設定するには、前記交流電圧のピーク間電圧Ｖｐｐを前記放電開始電圧Ｖｔｈの２倍以上の値とした上で、図３（ａ）より前記直流電流値Ｉｄｃの調整をすることが必要であり、また、前記調整のために前記直流電流値Ｉｄｃを増加させるためには、図３（ｂ）より前記直流電圧Ｖｄｃを増加させる必要がある。
【００１５】
上述の構成によれば、前記像担持体を回転駆動させることにより、帯電部材内のエピクロルヒドリンゴム内の導電イオンの運動が促進させられて、前記帯電部材の抵抗が低下するので、前記像担持体が回転駆動している場合と回転駆動していない場合とを比較すると、同じレベルの直流電圧Ｖｄｃが印加された場合でも、回転駆動している場合の方が直流電流値Ｉｄｃは相対的に大きくなる。
【００１６】
よって、上述の構成のように、前記エージング制御手段によって前記像担持体を回転駆動させることにより、ある電圧レベルの直流電圧Ｖｄｃの印加では前記像担持体の帯電電位が目標電位に達しないような場合であっても、印加する直流電圧Ｖｄｃを変更することなく、前記帯電電位Ｖｏが目標電位に設定されるように前記直流電流値Ｉｄｃを増加させる調整が可能となって、画像形成装置により形成された画像におけるカブリや濃度ムラの発生を防止することができる。
【００１７】
同第二の特徴構成は、同請求項２に記載した通り、上述の第一特徴構成に加えて、前記高圧発生回路が、二次側に複数の線形直流レギュレータが並列接続された単一の直流トランスと、各線形直流レギュレータの出力が二次側に各別に接続された複数の交流トランスと、前記直流トランスの二次側に接続され前記帯電部材と前記像担持体間の直流電流を検出する単一の電流検出回路とから構成され、各線形直流レギュレータの中の一つを除いて他の出力を放電開始電圧よりも低圧に調整することにより前記直流電流値を各別に検出するように構成されている点にある。
【００１８】
上述の構成によれば、特定の帯電部材と像担持体間の直流電流を検出する際に、他の帯電部材と像担持体間に直流電流が流れないように、対応する夫々の線形直流レギュレータにより前記直流電圧が放電開始電圧よりも低圧に調整されることから、当該特定の直流電流値を前記電流検出回路により検出できるようになる。従って、前記像担持体の数に対応して前記電流検出回路を夫々設ける必要が無く、コストの上昇を抑え、且つ、実装効率を高めることができる。
【００１９】
同第三の特徴構成は、同請求項３に記載した通り、上述の第二特徴構成に加えて、前記エージング制御手段は、前記交流電圧及び前記直流電圧を予め設定された所定電圧に保持して各像担持体を予め設定された基準時間だけ回転駆動し、その後各線形直流レギュレータの中の一つを除いて他の出力を放電開始電圧よりも低圧に調整することにより各直流電流値を順次検出する単位エージング動作を一回または複数回繰り返す点にある。
【００２０】
単一の電流検出回路によって各像担持体の直流電流値を検出した場合、各像担持体の直流電流値の合計値が検出されるが、当該合計値が目標電流範囲内であるか否かで各像担持体の帯電電位が適正であるか否か判断すると、ある像担持体の直流電流値が適正値より小さくて別の像担持体の直流電流値が適正値より大きい場合は、当該合計値が目標電流範囲内であったとしても、直流電流値が適正値よりも大きい（または小さい）像担持体については帯電電位を適正な範囲内に設定したとは言えない。
【００２１】
しかし、上述の構成では、各線形直流レギュレータの中の一つを除いて他の出力を放電開始電圧よりも低圧に調整することにより各直流電流値を順次検出する単位エージング動作を一回または複数回繰り返すので、前記単位エージング動作を全ての像担持体の直流電流値が目標電流範囲内となるまで実行することにより、
全ての像担持体について帯電電位を適正な範囲内に設定できる。
【００２２】
同第四の特徴構成は、同請求項４に記載した通り、上述の第一から第三の何れかの特徴構成に加えて、前記エージング制御手段は、前記電圧制御手段により何れかの直流電流値が前記目標電流範囲に制御できないとき、または、前記画像形成装置の環境温度が所定温度未満のときに作動する点にある。
【００２３】
上述の構成によれば、複数の像担持体のうちの何れかの像担持体において、印加可能な最大の直流電圧Ｖｄｃを印加しても前記直流電流値Ｉｄｃが目標電流範囲に達しない場合であっても、前記エージング制御手段を作動させて前記直流電流値Ｉｄｃを増加させることで、前記直流電圧Ｖｄｃを増加させることなく前記直流電流値Ｉｄｃを目標電流範囲内とすることができる。
【００２４】
また、前記帯電制御装置の環境温度が所定温度未満の場合、つまり温度が低い場合は、帯電部材内のエピクロルヒドリンゴム内の導電イオンの運動が鈍いので、前記帯電部材の抵抗は温度が高い場合に比べて大きい。そのため、同じ直流電圧Ｖｄｃが印加された場合でも直流電流値Ｉｄｃは相対的に小さくなってしまう。
【００２５】
そこで、このような場合に、前記エージング制御手段を作動させて前記直流電流値Ｉｄｃを増加させることで、前記直流電流値Ｉｄｃを目標電流範囲内とすることができる。
【００２６】
同第五の特徴構成は、同請求項５に記載した通り、上述の第一から第四の何れかの特徴構成に加えて、前記エージング制御手段は、画像形成装置の電源投入時または省電力モードからの復帰時に作動する点にある。
【００２７】
画像形成装置の電源投入時または省電力モードからの復帰時は、装置内温度が低い可能性が高いので、前記エージング制御手段による前記像担持体の回転駆動を実行する好適な時期である。
【００２８】
同第六の特徴構成は、同請求項６に記載した通り、上述の第一から第五の何れかの特徴構成に加えて、前記エージング制御手段は、各直流電流値の夫々が前記目標電流範囲に達したとき、または、予め設定された所定時間が経過したときにエージング動作を終了する点にある。
【００２９】
上述の構成によれば、各像担持体と帯電部材間の直流電流値Ｉｄｃの夫々が前記目標電流範囲に達したことで前記エージング制御手段によるエージング動作が不要となった場合に、無駄なエージング動作を継続することを防止することができる。また、前記エージング制御手段がエージング動作を連続して実行する時間に制限を設けることで、長時間のエージング動作によっても何れかの前記直流電流値Ｉｄｃが目標電流範囲に達せず、これ以上のエージング動作は時間の無駄であると判断されるような場合にもかかわらず前記エージング制御手段がエージング動作を継続することを防止することができる。
【００３０】
同第七の特徴構成は、同請求項７に記載した通り、上述の第六特徴構成に加えて、前記所定時間は、前記画像形成装置の環境温度に基づいて設定される点にある。
【００３１】
環境温度の値によって、前記ピーク間電圧Ｖｐｐと前記直流電流値Ｉｄｃの特性や、前記直流電流値Ｉｄｃと前記帯電電位Ｖｏの特性等が変化することから、上述の構成によれば、前記環境温度に基づいて適切な前記所定時間を決定することによって、前記エージング制御手段による長時間の無駄なエージング動作や、エージング動作が短時間であるために前記直流電流値Ｉｄｃが目標電流範囲に達する前にエージング動作を終了してしまうことを防止することができる。
【発明の効果】
【００３２】
以上説明した通り、本発明によれば、低温環境で使用してもカブリや濃度ムラが発生しないように像担持体の帯電電位を制御できるカラー画像形成装置の帯電制御装置を提供することができるようになった。
【発明を実施するための最良の形態】
【００３３】
以下に本発明による帯電制御装置をタンデム方式のカラー画像形成装置としてのカラーデジタル複写機に適用した実施形態について説明する。
【００３４】
前記カラーデジタル複写機１は、図４、図５に示すように、原稿としての用紙をセットする原稿載置部２と、前記原稿から読み込んだデータを電子データに変換する画像読取部３と、前記画像読取部３によって電子データに変換された画像データに基づいて用紙上にトナー像を形成して出力する画像形成部４と、用紙上に出力されたトナー像を加熱して用紙上に定着させる定着部５と、用紙を搬送する搬送部６と、夫々異なるサイズまたは種類の用紙が収容された複数の給紙カセット７（７ａ〜７ｄ）及び機械左側部に設けられた手差し給紙口（図示せず）と、各種のメニューを設定する複数のメニュー設定キー等が配置された操作部８とを備えて構成されている。
【００３５】
前記画像形成部４は、図５（ａ）に示すように、夫々がＹＭＣＫの何れかの色のトナー像を形成することで四色のトナー像を形成する四個の画像形成ユニット４ａ〜４ｄを備えて構成されている。そして、各画像形成ユニット４ａ〜４ｄは、図５（ｂ）に示すように、像担持体４１と、前記像担持体４１の周囲に順に配置され、前記像担持体４１に接触配置され前記像担持体４１を帯電処理する帯電部材４２と、帯電された前記像担持体４１を露光して静電潜像を形成するプリントヘッド４３と、前記像担持体４１に形成された静電潜像にトナーを静電付着させてトナー像を顕像化する現像部４４と、トナーが充填されており前記現像部４４へトナーを供給する交換ユニットとしてのトナーカートリッジ４５と、現像された前記トナー像を用紙に転写する転写部４６と、転写後に前記像担持体４１に残留するトナーを除去して回収するクリーナ部４７と、前記像担持体４１表面の残留電位を落して均一にする除電ランプ４８とを備えて構成されている。
【００３６】
さらに、前記画像形成部４は、各画像形成ユニット４ａ〜４ｄの帯電部材４２に電圧を印加することで帯電を制御する本発明による帯電制御装置９を備えて構成されている。
【００３７】
また、前記カラーデジタル複写機１には、図６に示すように、上述の各機能ブロックを制御するための複数の制御手段が設けられている。具体的には、前記画像読取部３による原稿やデータの読取動作を制御する画像読取制御手段１００と、当該カラーデジタル複写機１のシステムを統括するとともに前記画像形成部４、前記定着部５、搬送部６、及び給紙カセット７を制御する画像出力制御手段２００と、前記操作部８の入出力信号を制御する操作制御手段３００とを備えて構成されている。
【００３８】
各制御手段１００、２００、３００は、単一または複数の制御基板上に単一または複数のＣＰＵと、ＣＰＵにより実行される制御プログラム等が格納されたＲＯＭと、制御データを格納するＲＡＭと、制御対象である各種の負荷に信号を出力し、各種のセンサからの検出値を入力する入出力インタフェース回路などを設けて構成されている。各ＣＰＵは相互にシリアル通信ライン４００で接続され、分散型の制御システムが構築され、各ＣＰＵにより実行される制御プログラム及び関連するハードウェアにより前記カラーデジタル複写機１に画像形成処理を実行させるための所定の機能が実現されるように構成されている。
【００３９】
以下、前記帯電制御装置９について説明する。前記帯電制御装置９は、図１に示すように、直列に配置された複数の像担持体４１（４１ａ〜４１ｄ）の各々に接触配置帯電部材４２（４２ａ〜４２ｄ）に直流電圧と交流電圧が重畳された振動電圧を印加する高圧発生回路９１と、各像担持体４１と帯電部材４２間の直流電流値Ｉｄｃが目標電流範囲に維持されるように前記交流電圧を制御する電圧制御手段９６を備えて構成されている。
【００４０】
前記像担持体４１の各々は、アルミニウム製シリンダの表面に正帯電性光導電体であるアモルファスシリコン層が蒸着された感光体を有する感光体ドラムからなり、図示しない駆動装置により中心支軸を中心に回転駆動されるように構成されている。なお、前記像担持体４１の各々はＲＯＭを備えており、後述する放電開始電圧としての直流電圧の値と目標電流範囲の値が、当該像担持体４１が前記カラーデジタル複写機１に搭載された場合に使用する値として記憶されている。
【００４１】
前記帯電部材４２の各々は、芯金４２１に導電性のある弾性材料であるエピクロルヒドリンゴム層４２２を被覆した帯電ローラで構成されている。
【００４２】
前記高圧発生回路９１は、図７に示すように、前記像担持体４１（４１ａ〜４１ｄ）に夫々接触配置された帯電ローラでなる前記帯電部材４２（４２ａ〜４２ｄ）に印加する直流電圧と交流電圧が重畳された振動電圧を生成する回路であって、二次側に前記像担持体４１の数に対応した線形直流レギュレータとしてのシャントレギュレータ９１２が並列接続された単一の直流トランス９１１と、各シャントレギュレータ９１２の出力が二次側に各別に接続された前記像担持体４１の数に対応した交流トランス９１３と、前記直流トランス９１１の二次側に接続され前記帯電部材４２と前記像担持体４１間の直流電流Ｉｄｃを検出する単一の電流検出回路９１４とから構成され、各シャントレギュレータ９１２の中の一つを除いて他の出力を放電開始電圧よりも低圧に調整することにより前記直流電流値Ｉｄｃを各別に検出するように構成されている。
【００４３】
以下に詳述する。図８に示すように、前記電圧制御手段９６から入力されるリモート駆動信号に基づいてパルス信号を出力するパルス信号発生手段９１１ａからのパルス信号が前記直流トランス９１１の一次側に入力され、所定電圧に昇圧された高圧交流電圧が二次側から出力され、その高圧交流電圧がダイオードＤ１０とコンデンサＣ１０による整流回路により平滑化されて、出力端子ｔ１、ｔ２から高圧の直流電圧が出力されるように構成されている。
【００４４】
上述と同様に、前記電圧制御手段９６から入力されるリモート駆動信号に基づいてパルス信号を出力するパルス信号発生手段９１１ａからのパルス信号が前記交流トランス９１３の一次側に入力され、所定電圧に昇圧された高圧の交流電圧が二次側から出力されるように構成されている。ここに、前記交流電圧は前記電圧制御手段９６から前記パルス信号発生手段９１１ａに入力される可変のアナログ入力電圧に基づいて生成されるパルス信号電圧により可変に制御される。
【００４５】
前記シャントレギュレータ９１２は、ＹＭＣＫの夫々の像担持体４１に対応した帯電部材４２に各別に直流電圧を供給すべく前記直流トランス９１１の端子ｔ１、ｔ２に並列に四回路接続されており、夫々は、図９に示すように、差動増幅器としてのオペアンプＯＰ２０と、前記オペアンプＯＰ２０の出力電流により駆動されるパストランジスタＱ２０と、前記パストランジスタＱ２０のコレクタに接続された降伏電圧が２５０ＶのツェナーダイオードＺＤ２０等を備えて構成されている。
【００４６】
前記オペアンプＯＰ２０の非反転入力端子には前記シャントレギュレータ９１２の出力電圧が抵抗Ｒ２１、Ｒ２０により分圧された分圧電圧が入力され、反転入力端子には基準電圧が入力されている。従って、基準電圧と分圧電圧が等しくなるように前記オペアンプＯＰ２０から前記パストランジスタＱ２０にベース電流が供給され、その結果、抵抗Ｒ２３及び前記ツェナーダイオードＺＤ２０に流れる電流により直流電圧Ｖｄｃが調整される。
【００４７】
前記基準電圧は固定の比較電圧Ｖｒｅｆと前記電圧制御手段９６により制御される制御電圧Ｖｃｎｔにより可変に調整され、前記制御電圧Ｖｃｎｔの夫々が個別に調整されることにより各帯電部材４２に印加される直流電圧Ｖｄｃが２５０Ｖから７５０Ｖの間で可変且つ安定に調整される。
【００４８】
図７に示すように、前記シャントレギュレータ９１２の出力端子は、交流電圧をバイパスさせるバイパスコンデンサＣを介して各交流トランス９１３の二次側端子に接続されており、前記シャントレギュレータ９１２からの直流電圧と前記交流トランス９１３からの交流電圧が重畳された振動電圧が各帯電部材４２に印加されるように構成されている。
【００４９】
前記電流検出回路９１４は、図１０に示すように、電流電圧変換用のオペアンプＯＰ４１と増幅用のオペアンプＯＰ４０を備えて構成されている。前記オペアンプＯＰ４１の反転入力端子には前記直流トランス９１１の二次低圧側端子ｔ２が接続され、非反転入力端子には前記比較電圧Ｖｒｅｆが抵抗Ｒ４３、Ｒ４４により分圧された電圧が基準電圧として入力されており、基準電圧と二次低圧側端子ｔ２間の電圧が等しくなるようにフィードバック抵抗Ｒ４２を流れる電流値が電圧変換され、さらに前記オペアンプＯＰ４０で増幅された後に前記電圧制御手段９６に入力される。
【００５０】
前記直流電流Ｉｄｃの検出について詳述すると、前記オペアンプＯＰ４１では、前記像担持体４１の夫々からグランドに流れた前記帯電部材４２と前記像担持体４１間の前記直流電流Ｉｄｃが、前記オペアンプＯＰ４１に印加される制御電圧のグランド側端子から出力端子に流れる。前記直流電流Ｉｄｃは、抵抗Ｒ４２を経由して前記直流トランス９１１の低圧側へと流れ、該高圧発生回路９１の直流電流成分のループを形成する。
【００５１】
また、前記電圧制御手段９６は、前記電流検出回路９１４から入力されてきた電圧値と前記電圧値に対応する電流値とを対応づけて記憶している電圧電流テーブルデータを自身に備えたＲＯＭに記憶しており、フィードバック抵抗Ｒ４２を流れる電流値（つまり前記直流電流Ｉｄｃ）が電圧変換され、前記オペアンプＯＰ４０で増幅された後に入力された電圧値を、前記電圧電流テーブルデータに適用することで前記直流電流Ｉｄｃの値を認識する。
【００５２】
前記電流検出回路９１４により特定の帯電部材４２と像担持体４１間の直流電流Ｉｄｃを計測する際には、当該特定の帯電部材４２に対応するシャントレギュレータ９１２を除いて他のシャントレギュレータ９１２の出力と、当該特定の帯電部材４２に対応する交流トランス９１３の出力が放電開始電圧よりも低圧に調整される。
【００５３】
具体的には、前記電圧制御手段９６により他の三つのシャントレギュレータ９１２の制御電圧Ｖｃｎｔが放電停止レベルより低い約２５０Ｖになるように調整され、交流トランス９１３が１つを除いてＯＦＦにされた後に、前記電流検出回路９１４の値が読み込まれるのである。このようにして、特定の帯電部材４２と像担持体４１間の直流電流Ｉｄｃを検出する際に、他の帯電部材４２と像担持体４１間に電流が流れないように、対応する夫々のシャントレギュレータ９１２と交流トランス９１３により前記制御電圧Ｖｃｎｔが放電開始電圧よりも低圧に調整されることにより、当該特定の帯電部材４２からの直流電流値Ｉｄｃを単一の電流検出回路９１４により検出できるようになる。
【００５４】
前記電圧制御手段９６は、このようにして検出される各帯電部材４２からの直流電流値Ｉｄｃに基づいて、各シャントレギュレータ９１２の出力または各交流トランス９１３の出力が所定の目標値に維持されるように調整する。
【００５５】
以下に詳述する。前記電圧制御手段９６は、前記像担持体４１のＲＯＭに記憶されている直流電圧値を読み取って、読み取った直流電圧値を放電開始電圧として前記帯電部材４２に印加させるように前記高圧発生回路９１を制御する。具体的には、前記電圧制御手段９６は、読み取った直流電圧値の電圧を高圧発生回路９１に印加させることができるレベルの前記アナログ入力電圧を、前記高圧発生回路９１の前記直流トランス９１１に入力する。なお、前記像担持体４１のＲＯＭに記憶されている直流電圧値は、例えば約５００［Ｖ］である。
【００５６】
また、前記電圧制御手段９６は、前記像担持体４１のＲＯＭに記憶されている直流電圧値と前記目標電流範囲を読み取って、ピーク間電圧Ｖｐｐが読み取った直流電圧値の二倍である交流電圧を、放電開始電圧として前記帯電部材４２に印加させるように前記高圧発生回路９１を制御する。具体的には、前記電圧制御手段９６は、読み取った直流電圧値の二倍の交流電圧を高圧発生回路９１に印加させることができるレベルの前記アナログ入力電圧を、前記高圧発生回路９１の前記交流トランス９１３に入力する。なお、前記交流電圧のピーク間電圧値Ｖｐｐは、例えば約１０００［Ｖ］である。
【００５７】
ここで、前記目標電流範囲は、前記像担持体４１の各々が所定の表面電位となるように設定された前記直流電流値Ｉｄｃの目標電流値Ｉｄｃ（０）を中心とした所定の電流範囲である。
【００５８】
上述のように、前記電圧制御手段９６が前記高圧発生回路９１を制御して前記直流電圧と前記交流電圧が重畳された振動電圧を前記帯電部材４２に印加させると、前記電流検出回路９１４は、前記像担持体４１と前記帯電部材４２との間に流れる直流電流値Ｉｄｃを検出する。
【００５９】
前記電圧制御手段９６は、検出された直流電流値Ｉｄｃに応じて前記帯電部材４２に印加される交流電圧を変化させる、所謂フィードバック制御を行なう。
【００６０】
詳述すると、前記電圧制御手段９６は、前記電流検出回路９１４から入力された電圧値を前記電圧電流テーブルデータに適用することで前記直流電流Ｉｄｃの値を認識して、前記直流電流値Ｉｄｃが前記目標電流範囲内であるか否かを判断する。
【００６１】
判断した結果、前記目標電流範囲内である場合は、前記帯電部材４２に印加させる交流電圧のピーク間電圧値Ｖｐｐを現在値に維持し、前記目標電流範囲より小さい場合は、前記帯電部材４２に印加させる交流電圧のピーク間電圧値Ｖｐｐを予め設定された所定値だけ現在値より大きくし、前記目標電流範囲より大きい場合は、前記帯電部材４２に印加させる交流電圧のピーク間電圧値Ｖｐｐを予め設定された所定値だけ現在値より小さくするように、前記高圧発生回路９１を制御する。前記高圧発生回路９１の制御は、上述したように、前記電圧制御手段９６が前記直流トランス１０に入力するアナログ入力電圧を可変させることにより行なわれる。
【００６２】
そして、前記電圧制御手段９６は、読み取った直流電流値Ｉｄｃが前記目標電流範囲内となるまで上述の処理を繰り返す。
【００６３】
前記帯電制御装置９は、前記交流電圧及び前記直流電圧を予め設定された所定電圧に保持して各像担持体４１を回転駆動するエージング制御手段９５を備えて構成されている。なお、前記エージング制御手段９５の機能は、前記画像出力制御手段２００において前記制御プログラムが実行されることによって実現されている。
【００６４】
前記エージング制御手段９５は、前記カラーデジタル複写機１の電源投入時または省電力モードからの復帰時に作動する。また、前記エージング制御手段９５は、前記電圧制御手段９６により何れかの直流電流値Ｉｄｃが前記目標電流範囲に制御できないとき、または、前記カラーデジタル複写機１の環境温度が所定温度未満のときに作動する。
【００６５】
つまり、前記エージング制御手段９５は、前記カラーデジタル複写機１の電源投入時または省電力モードからの復帰時に前記帯電制御装置９によって行なわれる前記交流電圧の調整時に作動し、その後、前記電圧制御手段９６により前記直流電流値Ｉｄｃが前記目標電流範囲に制御できないとき、または、前記カラーデジタル複写機１の前記環境温度が所定温度未満となったときにも作動する。
【００６６】
ここで、前記電圧制御手段９６により前記直流電流値Ｉｄｃが前記目標電流範囲に制御できないときとは、前記電圧制御手段９６が前記高圧発生回路９１を制御して、前記高圧発生回路９１が前記帯電部材４２に印加可能な最大のピーク間電圧Ｖｐｐを有する交流電圧を印加させても、前記直流電流値Ｉｄｃが前記目標電流範囲内とならない場合である。
【００６７】
また、前記環境温度とは、前記カラーデジタル複写機１において前記像担持体４１の何れかまたは各々の近傍に設けられており、前記像担持体４１の何れかまたは各々の周辺温度を検出する環境温度センサ１０の検出値より導かれる温度のことである。
【００６８】
なお、前記環境温度センサ１０が前記像担持体４１の各々の近傍に設けられている場合は、前記エージング制御手段９５は、前記直流電流Ｉｄｃの計測対象となっている像担持体４１の近傍に設けられている環境温度センサ１０の値によって前記環境温度を認識する構成であってもよい。
【００６９】
ここで、前記エージング制御手段９５が前記像担持体４１に回転駆動を実行させる（つまりエージング動作を実行する）最大時間である最大エージング時間の決定について説明する。前記最大エージング時間は、前記カラーデジタル複写機１の環境温度に基づいて設定される。
【００７０】
詳述すると、前記カラーデジタル複写機１の電源投入時または省電力モードからの復帰時に、前記環境温度センサ１０の検出値が前記エージング制御手段９５に送られて、前記環境温度センサ１０の検出値を受け取った前記エージング制御手段９５は、前記画像出力制御手段２００に備えられているＲＯＭに記憶された温度についてのテーブルデータ、例えば、図１１に示すような温度テーブルを参照することで最大エージング時間を決定する。
【００７１】
本実施形態では、前記温度テーブルにおいて前記最大エージング時間は最大繰り返し回数Ｔとして示されている。つまり、本実施形態では、前記エージング動作は、後述するように１回の動作が各帯電部材４２についての直流電流値Ｉｄｃを順次検出する動作である単位エージング動作として実行されるので、前記単位エージング動作の所定の振動電圧印加時間に前記最大繰り返し回数Ｔを乗じた時間が、前記最大エージング時間となるのである。
【００７２】
このとき、前記環境温度が所定温度以上（本実施形態では温度が１５度以上）の時は、前記最大繰り返し回数Ｔが零回であるので、前記エージング制御手段９５によるエージング動作は実行されないが、温度が１５度未満の時は、前記温度テーブルにより決定された最大繰り返し回数Ｔだけ、前記単位エージング動作は実行される。
【００７３】
以下、前記エージング制御手段９５によるエージング動作について説明する。前記エージング制御手段９５は、前記交流電圧及び前記直流電圧を予め設定された所定電圧に保持して各像担持体４１を予め設定された基準時間だけ回転駆動し、その後、各シャントレギュレータ９１２の中の一つを除いて他の出力を放電開始電圧よりも低圧に調整することにより各直流電流値を順次検出する単位エージング動作を一回または複数回繰り返す。
【００７４】
詳述すると、前記エージング制御手段９５は、所定条件を具備するとき（つまり、前記カラーデジタル複写機１の電源投入時または省電力モードからの復帰時、前記電圧制御手段９６により前記直流電流値Ｉｄｃが前記目標電流範囲に制御できないとき、或いは、前記カラーデジタル複写機１の前記環境温度が所定温度未満となったとき）に、前記像担持体４１と前記帯電部材４２の各々の駆動装置（図示せず）に駆動開始信号を送ることで、前記像担持体４１と前記帯電部材４２を回転駆動、つまりエージング動作させる。
【００７５】
前記像担持体４１と前記帯電部材４２の各々が回転駆動している状態で、前記エージング制御手段９５は、前記電圧制御手段９６に前記高圧発生回路９１を制御させて、前記振動電圧を前記帯電部材４２の各々に印加させる。
【００７６】
具体的には、前記エージング制御手段９５は、前記電圧制御手段９６に前記直流トランス９１１へ前記アナログ入力電圧を送信させて、前記直流電圧Ｖｄｃを前記帯電部材４２（４２ａ〜４２ｄ）へ印加させるとともに、前記電圧制御手段９６に前記交流トランス９１３に前記アナログ入力電圧を送信させて、前記交流電圧を前記帯電部材４２（４２ａ〜４２ｄ）へ印加させる。本実施形態では、前記振動電圧の前記帯電部材４２の各々への印加は３０秒間実行される。
【００７７】
その後、前記エージング制御手段９５は前記電圧制御手段９６に前記高圧発生回路９１を制御させて、特定の帯電部材（例えば帯電部材４２ａ）以外の帯電部材４２（４２ｂ〜４２ｄ）へ印加する前記振動電圧を低圧に調整する。
【００７８】
具体的には、前記電圧制御手段９６は、当該特定の帯電部材４２ａ以外の帯電部材４２ｂ〜４２ｄへ直流電圧Ｖｄｃを印加するシャントレギュレータ９１２（９１２ｂ〜９１２ｄ）の制御電圧Ｖｃｎｔが放電停止レベルより低い約２５０Ｖになるように、前記シャントレギュレータ９１２ｂ〜９１２ｄへ出力する前記アナログ入力電圧を調整する。
【００７９】
この状態で、前記電流検出回路９１４は前記直流電流値Ｉｄｃ（つまり前記帯電部材４２ａと前記像担持体４１ａの間を流れる直流電流値Ｉｄｃ）を１秒間に亘って検出する。例えば、５０ミリ秒毎に２０回の直流電流の検出を行なうことによって検出する。
【００８０】
以下、前記帯電部材４２ａの直流電流値についての検出と同様にして、前記帯電部材４２ｂ〜４２ｄの直流電流値についても検出を行なう。
【００８１】
前記エージング制御手段９５は、前記電流検出回路９１４により検出された全ての直流電流値Ｉｄｃが前記目標電流範囲に達したとき、または、予め設定された所定時間が経過したときにエージング動作を終了する。
【００８２】
詳述すると、前記エージング制御手段９５は、全ての帯電部材４２ａ〜４２ｄのうち少なくとも一つの帯電部材４２について前記直流電流値Ｉｄｃが目標電流範囲に達していない場合は、再び全ての帯電部材４２への３０秒間の電圧印加及び各帯電部材４２の直流電流の検出動作を繰り返す。
【００８３】
この動作の繰り返しは、前記エージング制御手段９５が、全ての帯電部材４２ａ〜４２ｄにおいて前記直流電流値Ｉｄｃが目標電流範囲に達した場合、または、単位エージング動作が予め設定された所定回数だけ繰り返された場合に、前記エージング動作を終了するまで行なわれる。つまり、予め設定された所定回数（前記環境温度センサ１０の値に基づいて決定された前記最大繰り返し回数Ｔ）に達した場合、前記エージング制御手段９５は、全ての帯電部材４２ａ〜４２ｄについて前記直流電流値Ｉｄｃが目標電流範囲に達しているか否かにかかわらず前記エージング動作を終了させる。
【００８４】
前記エージング動作が終了すると、前記エージング制御手段９５が、前記電圧制御手段９６に振動電圧の出力停止信号を出力させて、前記出力停止信号を受け取った前記高圧発生回路９１は直流電圧と交流電圧の出力を停止する。その後、前記カラーデジタル複写機１は、電源投入時または省電力モードからの復帰時の通常の立ち上がり動作に移行する。
【００８５】
以下、カラーデジタル複写機１の電源投入時における回転駆動の処理について、図１２及び図１３に示すフローチャートに基づいて説明する。
【００８６】
カラーデジタル複写機１の電源がオンされると（Ｓ１）、エージング制御手段９５は環境温度センサ１０の検出値に基づいて最大繰り返し回数Ｔを決定する（Ｓ２）。
【００８７】
また、前記エージング制御手段９５は、前記環境温度センサ１０により検出された環境温度が１５度未満であり（Ｓ３）、且つ、前記電圧制御手段９６により何れかの帯電部材４２についての直流電流値Ｉｄｃが目標電流範囲に制御できない場合は（Ｓ４）、全ての像担持体４１ａ〜４１ｄと帯電部材４２ａ〜４２ｄの回転駆動、つまりエージング動作を開始させる（Ｓ５）。
【００８８】
一方、前記環境温度が１５度以上であり（Ｓ３）、または、前記電圧制御手段９６により全ての帯電部材４２についての前記直流電流値Ｉｄｃが目標電流範囲に制御できる場合は（Ｓ４）、エージング動作を開始させることなくステップＳ６以下で説明するような交流電圧の調整処理を行なう。なお、この場合の交流電圧の調整処理は、エージング動作が開始されていないのでステップＳ１２における最大繰り返し回数に達したか否かの判定やステップＳ１３におけるエージング動作の終了処理が実行されないことは言うまでもなく、ステップＳ１２の場合は、前記最大繰り返し回数に達したか否かの判定を行なう代わりに、別に設定された所定時間の経過判定を行なう。
【００８９】
前記エージング動作が開始されると（Ｓ５）、前記エージング制御手段９５は電圧制御手段９６に高圧発生回路９１を制御させて、振動電圧を前記帯電部材４２ａ〜４２ｄに一定時間印加させる（Ｓ６）。
【００９０】
その後、前記エージング制御手段９５は前記電圧制御手段９６に前記高圧発生回路９１を制御させて、特定の帯電部材４２ａ以外の帯電部材４２ｂ〜４２ｄへ印加する前記振動電圧を低圧に調整する。この状態で、前記電流検出回路９１４は直流電流値Ｉｄｃ（つまり前記帯電部材４２ａと前記像担持体４１ａの間を流れる直流電流値Ｉｄｃ）を１秒間に亘って検出する。（Ｓ７）。
【００９１】
ステップＳ７と同様にして、帯電部材４２ｂ以外の帯電部材４２に印加する前記振動電圧を低圧に調整した状態（Ｓ８）、帯電部材４２ｃ以外の帯電部材４２に印加する前記振動電圧を低圧に調整した状態（Ｓ９）、帯電部材４２ｄ以外の帯電部材４２に印加する前記振動電圧を低圧に調整した状態（Ｓ１０）で、前記電流検出回路９１４は夫々の直流電流値（前記帯電部材４２ｂ〜４２ｄと前記像担持体４１ｂ〜４１ｄの間を流れる直流電流値Ｉｄｃ）を１秒間に亘って検出する。（Ｓ８〜Ｓ１０）
【００９２】
前記エージング制御手段９５は、検出された各帯電部材４２についての直流電流値Ｉｄｃの全てが目標電流範囲に達している場合は（Ｓ１１）、前記エージング動作を終了させる（Ｓ１３）。
【００９３】
一方、前記直流電流値Ｉｄｃの少なくとも一つが前記目標電流範囲に達していない場合は（Ｓ１１）、前記エージング制御手段９５は、ステップＳ６からステップＳ１１までの動作（つまり単位エージング動作）の動作回数が前記最大繰り返し回数Ｔに達しているか否かを判断する（Ｓ１２）。
【００９４】
そして、前記最大繰り返し回数Ｔに達していない場合は、前記エージング制御手段９５は再び単位エージング動作を行なう。つまり、前記電流検出回路９１４が、前記電圧制御手段９６のフィードバック制御により新たな交流電圧が印加されたときの各帯電部材４２についての直流電流値Ｉｄｃを検出して（Ｓ７〜Ｓ１０）、前記エージング制御手段９５は、新たに検出された直流電流値Ｉｄｃの全てが目標電流範囲に達しているか否かの判断を行なう（Ｓ１１）。
【００９５】
一方、前記最大繰り返し回数Ｔに達している場合は、前記エージング制御手段９５は前記エージング動作を終了させる（Ｓ１３）。
【００９６】
その後、前記エージング制御手段９５は前記電圧制御手段９６に前記高圧発生回路９１を制御させることで、振動電圧の前記帯電部材４２への印加を停止させ（Ｓ１４）、前記カラーデジタル複写機１は通常の立ち上がり動作へ移行する（Ｓ１５）。
【００９７】
以下、別実施形態について説明する。上述の実施形態では、電圧制御手段９６は、各像担持体４１と帯電部材４２間の直流電流値が目標電流範囲に維持されるように交流電圧を制御する構成について説明したが、各像担持体４１と帯電部材４２間の直流電流値が目標電流範囲に維持されるように直流電圧を制御する構成であってもよい。
【００９８】
また、電圧制御手段９６は、交流電圧のピーク間電圧を制御した後に、直流電圧を制御することによって、直流電流値Ｉｄｃが目標電流範囲に維持されるようにする構成であってもよく、逆に、前記電圧制御手段９６は、直流電圧を制御した後に、交流電圧のピーク間電圧を制御することによって、直流電流値Ｉｄｃが目標電流範囲に維持されるようにする構成であってもよい。
【００９９】
上述の実施形態では、電流検出回路９１４によって検出された全ての帯電部材４２についての直流電流値Ｉｄｃが目標電流範囲に達すると、エージング制御手段９５はエージング動作を終了させる構成について説明したが、前記電流検出回路９１４によって検出された全ての帯電部材４２についての直流電流値Ｉｄｃが目標電流値Ｉｄｃ（０）に達すると、前記エージング制御手段９５は前記エージング動作を終了させる構成であってもよい。
【０１００】
上述の実施形態では、所定時間（最大繰り返し回数Ｔ）は、画像形成装置１の環境温度に基づいて設定される構成について説明したが、前記所定時間（最大繰り返し回数Ｔ）は、画像形成装置１の環境湿度に基づいて設定される構成であってもよい。
【０１０１】
例えば、前記画像形成装置１において前記像担持体４１の何れかまたは各々の近傍に、前記環境温度センサ１０の代わりに、または、前記環境温度センサ１０に加えて、前記像担持体４１の周辺湿度である環境湿度を検出する環境湿度センサを設けて、エージング制御手段９５は、画像出力制御手段２００に備えられているＲＯＭに記憶された湿度（または温度と湿度）についてのテーブルデータである湿度テーブル（または温度湿度テーブル）を参照することで最大繰り返し回数Ｔを決定する。
【０１０２】
上述の実施形態では、像担持体４１として、アルミニウム製シリンダの表面に正帯電性光導電体であるアモルファスシリコン層が蒸着された感光体を有する感光体ドラムを採用したが、前記感光体が有機光導電体であるＯＰＣドラムや、前記感光体がセレンなどであるその他の種類の光導電性半導体ドラムを採用する構成であってもよい。
【０１０３】
上述の実施形態では、帯電部材４２が芯金４２１に導電性のある弾性材料であるエクロルヒドリンゴム層４２２を被覆した帯電ローラとして構成したものを説明したが、ファーブラシ・フェルト・布などの形状・材質のもので構成したものであってもよい。
【０１０４】
上述の実施形態では、帯電部材４２は像担持体４１に接触配置されている構成について説明したが、前記帯電部材４２は前記像担持体４１に近接配置されている構成であってもよい。
【０１０５】
上述の実施形態では、電圧制御手段９６は帯電制御装置９に備えられた構成について説明したが、前記電圧制御手段９６は画像出力制御手段２００に備えられた構成であってもよい。
【０１０６】
上述の実施形態では、振動電圧の交流電圧の波形は正弦波であるものについて説明したが、矩形波や、三角波、パルス波等であっても良い。
【０１０７】
なお、上述の実施形態は何れも本発明の一実施例に過ぎず、当該記載により本発明の範囲が限定されるものではなく、各部の具体的構成は本発明による作用効果を奏する範囲において適宜変更することができることは言うまでもない。
【図面の簡単な説明】
【０１０８】
【図１】本発明を適用した帯電制御装置のブロック構成図
【図２】ピーク間電圧値と帯電電位の関係を示すグラフ
【図３】（ａ）は、直流電流値と帯電電位の関係を示し、（ｂ）は、直流電圧と直流電流値の関係を示すグラフ
【図４】本発明を適用したカラーデジタル複写機の外観図
【図５】（ａ）は、本発明を適用したカラーデジタル複写機を示し、（ｂ）は、画像形成ユニットを示した説明図
【図６】カラーデジタル複写機の制御手段のブロック構成図
【図７】高圧発生回路のブロック構成図
【図８】直流トランスの回路図
【図９】シャントレギュレータの回路図
【図１０】電流検出回路の回路図
【図１１】温度テーブルの説明図
【図１２】エージング動作について説明するためのフローチャート
【図１３】エージング動作について説明するためのフローチャート
【符号の説明】
【０１０９】
１：カラーデジタル複写機
４：画像形成部
４ａ〜４ｄ：画像形成ユニット
９：帯電制御装置
１０：環境温度センサ
４１（４１ａ〜４１ｄ）：像担持体
４２（４２ａ〜４２ｄ）：帯電部材
９１：高圧発生回路
９１４：電流検出回路
９５：エージング制御手段
９６：電圧制御手段
【図１】
2008216750.tif 000003
【図２】
2008216750.tif 000004
【図３】
2008216750.tif 000005
【図４】
2008216750.tif 000006
【図５】
2008216750.tif 000007
【図６】
2008216750.tif 000008
【図７】
2008216750.tif 000009
【図８】
2008216750.tif 000010
【図９】
2008216750.tif 000011
【図１０】
2008216750.tif 000012
【図１１】
2008216750.tif 000013
【図１２】
2008216750.tif 000014
【図１３】
2008216750.tif 000015